(57)【特許請求の範囲】
【請求項１】
第１面、及び、第１面と対向する第２面を有する第１基板、
第１面、及び、第１面と対向する第２面を有し、第１面が第１基板の第２面と対向して配置された、透明な材料から成る第２基板、並びに、
第１基板と第２基板の間に配された画像表示層、
から構成されており、
第２基板の第１面側には、駆動電極が設けられており、
第２基板の第２面には、複数の第１検出電極が設けられており、
第１基板には、第２検出電極が設けられており、
第１検出電極と駆動電極によって、静電容量方式の第１タッチパネル部が構成されており、
第２検出電極と駆動電極によって、静電容量方式の第２タッチパネル部が構成されている画像表示装置。
【請求項２】
第１面、及び、第１面と対向する第２面を有する第１基板、
第１面、及び、第１面と対向する第２面を有し、第１面が第１基板の第２面と対向して配置された、透明な材料から成る第２基板、並びに、
第１基板と第２基板の間に配された画像表示層、
から構成されており、
第１基板の第２面側には、駆動電極が設けられており、
第２基板には、複数の第１検出電極が設けられており、
第１基板の第１面には、第２検出電極が設けられており、
第１検出電極と駆動電極によって、静電容量方式の第１タッチパネル部が構成されており、
第２検出電極と駆動電極によって、静電容量方式の第２タッチパネル部が構成されている画像表示装置。
【請求項３】
第１面、及び、第１面と対向する第２面を有する第１基板、
第１面、及び、第１面と対向する第２面を有し、第１面が第１基板の第２面と対向して配置された、透明な材料から成る第２基板、
第１基板と第２基板の間に配された液晶から成る画像表示層、並びに、
第１基板の第１面側に配された面状光源装置、
から構成されており、
第２基板の第１面側には、駆動電極が設けられており、
第２基板の第２面には、複数の第１検出電極が設けられており、
面状光源装置には、第２検出電極が設けられており、
第１検出電極と駆動電極によって、静電容量方式の第１タッチパネル部が構成されており、
第２検出電極と駆動電極によって、静電容量方式の第２タッチパネル部が構成されている画像表示装置。
【請求項４】
第１面、及び、第１面と対向する第２面を有する第１基板、
第１面、及び、第１面と対向する第２面を有し、第１面が第１基板の第２面と対向して配置された、透明な材料から成る第２基板、
第１基板と第２基板の間に配された液晶から成る画像表示層、並びに、
第１基板の第１面側に配された面状光源装置、
から構成されており、
第１基板の第２面側には、駆動電極が設けられており、
第２基板には、複数の第１検出電極が設けられており、
面状光源装置には、第２検出電極が設けられており、
第１検出電極と駆動電極によって、静電容量方式の第１タッチパネル部が構成されており、
第２検出電極と駆動電極によって、静電容量方式の第２タッチパネル部が構成されている画像表示装置。
【請求項５】
駆動電極は、画像表示層を駆動する電極を兼ねている請求項１乃至請求項４のいずれか１項に記載の画像表示装置。
【請求項６】
第１検出電極、第２検出電極及び駆動電極は、検出部に接続されており、
検出部は、第１検出電極及び駆動電極によって構成される第１容量部と直列に接続された第１キャパシタ、及び、第２検出電極及び駆動電極によって構成される第２容量部と直列に接続された第２キャパシタを備えている請求項１乃至請求項４のいずれか１項に記載の画像表示装置。
【請求項７】
検出部は、第１キャパシタと並列に接続された第１オペレーショナル・アンプリファイア、及び、第２キャパシタと並列に接続された第２オペレーショナル・アンプリファイアを更に備えている請求項６に記載の画像表示装置。
【請求項８】
第１検出電極、第２検出電極及び駆動電極は、検出部に接続されており、
検出部は、第１検出電極及び駆動電極によって構成される第１容量部、並びに、第２検出電極及び駆動電極によって構成される第２容量部と、直列に接続された可変容量のキャパシタを備えており、
第１タッチパネル部の検出時と第２タッチパネル部の検出時とでキャパシタの容量を変える請求項１乃至請求項４のいずれか１項に記載の画像表示装置。
【請求項９】
検出部は、キャパシタと並列に接続されたオペレーショナル・アンプリファイアを更に備えている請求項８に記載の画像表示装置。
【請求項１０】
第１検出電極、第２検出電極及び駆動電極は、検出部に接続されており、
検出部は、第１検出電極及び駆動電極によって構成される第１容量部、並びに、第２検出電極及び駆動電極によって構成される第２容量部と、直列に接続されたキャパシタを備えており、
検出部は、更に、キャパシタと並列に接続されたオペレーショナル・アンプリファイアを備えており、
第１タッチパネル部の検出時と第２タッチパネル部の検出時とでオペレーショナル・アンプリファイアの基準電圧を変える請求項１乃至請求項４のいずれか１項に記載の画像表示装置。
【発明の詳細な説明】
【技術分野】
【０００１】
本開示は、画像表示装置に関し、具体的には、表示面及び裏面の両面にタッチパネル部を有する画像表示装置に関する。
【背景技術】
【０００２】
タッチパネルが組み込まれた液晶表示装置が、例えば、特開平７−０８４７０５から周知である。この特許公開公報に開示された液晶表示装置にあっては、液晶表示装置とタッチパネルとが両面テープを用いて貼り合わされている。また、例えば、携帯用ゲーム機を構成する画像表示装置において画像表示部の表示面（表面、おもてめん）及び裏面における画像観察者の指の位置を検出するために、画像表示部の両面にタッチパネルを設けることに対する強い要望がある。
【先行技術文献】
【特許文献】
【０００３】
【特許文献１】特開平７−０８４７０５
【特許文献２】特開２００９−２４４９５８
【発明の概要】
【発明が解決しようとする課題】
【０００４】
しかしながら、単純に、画像表示装置の両面にタッチパネルを配設した場合、全体の厚さが厚くなるし、重量も大幅に増加し、更には、製造コストの大幅な増加を招くといった問題がある。内部にタッチパネルを組み込んだ液晶表示装置が、例えば、特開２００９−２４４９５８から周知である。しかしながら、この特許公開公報には、液晶表示装置の両面にタッチパネルを配設するための具体的な構成に関して、何ら言及されていない。
【０００５】
従って、本開示の目的は、全体の厚さが厚くなることが無く、重量の大幅な増加も無く、しかも、製造コストの大幅な増加を招くことも無い、表示面及び裏面の両面にタッチパネル部を有する画像表示装置を提供することにある。
【課題を解決するための手段】
【０００６】
上記の目的を達成するための本開示の第１の態様に係る画像表示装置は、
第１面、及び、第１面と対向する第２面を有する第１基板、
第１面、及び、第１面と対向する第２面を有し、第１面が第１基板の第２面と対向して配置された、透明な材料から成る第２基板、並びに、
第１基板と第２基板の間に配された画像表示層、
から構成されており、
第２基板の第１面側には、駆動電極が設けられており、
第２基板の第２面には、複数の第１検出電極が設けられており、
第１基板には、第２検出電極が設けられており、
第１検出電極と駆動電極によって、静電容量方式の第１タッチパネル部が構成されており、
第２検出電極と駆動電極によって、静電容量方式の第２タッチパネル部が構成されている。
【０００７】
上記の目的を達成するための本開示の第２の態様に係る画像表示装置は、
第１面、及び、第１面と対向する第２面を有する第１基板、
第１面、及び、第１面と対向する第２面を有し、第１面が第１基板の第２面と対向して配置された、透明な材料から成る第２基板、並びに、
第１基板と第２基板の間に配された画像表示層、
から構成されており、
第１基板の第２面側には、駆動電極が設けられており、
第２基板には、複数の第１検出電極が設けられており、
第１基板の第１面には、第２検出電極が設けられており、
第１検出電極と駆動電極によって、静電容量方式の第１タッチパネル部が構成されており、
第２検出電極と駆動電極によって、静電容量方式の第２タッチパネル部が構成されている。
【０００８】
上記の目的を達成するための本開示の第３の態様に係る画像表示装置は、
第１面、及び、第１面と対向する第２面を有する第１基板、
第１面、及び、第１面と対向する第２面を有し、第１面が第１基板の第２面と対向して配置された、透明な材料から成る第２基板、
第１基板と第２基板の間に配された液晶から成る画像表示層、並びに、
第１基板の第１面側に配された面状光源装置、
から構成されており、
第２基板の第１面側には、駆動電極が設けられており、
第２基板の第２面には、複数の第１検出電極が設けられており、
面状光源装置には、第２検出電極が設けられており、
第１検出電極と駆動電極によって、静電容量方式の第１タッチパネル部が構成されており、
第２検出電極と駆動電極によって、静電容量方式の第２タッチパネル部が構成されている。
【０００９】
上記の目的を達成するための本開示の第４の態様に係る画像表示装置は、
第１面、及び、第１面と対向する第２面を有する第１基板、
第１面、及び、第１面と対向する第２面を有し、第１面が第１基板の第２面と対向して配置された、透明な材料から成る第２基板、
第１基板と第２基板の間に配された液晶から成る画像表示層、並びに、
第１基板の第１面側に配された面状光源装置、
から構成されており、
第１基板の第２面側には、駆動電極が設けられており、
第２基板には、複数の第１検出電極が設けられており、
面状光源装置には、第２検出電極が設けられており、
第１検出電極と駆動電極によって、静電容量方式の第１タッチパネル部が構成されており、
第２検出電極と駆動電極によって、静電容量方式の第２タッチパネル部が構成されている。
【発明の効果】
【００１０】
本開示の第１の態様あるいは第２の態様に係る画像表示装置においては、第１タッチパネル部及び第２タッチパネル部が画像表示装置に組み込まれており、本開示の第３の態様あるいは第４の態様に係る画像表示装置においては、第１タッチパネル部が画像表示装置に組み込まれており、また、第２タッチパネル部の一部が画像表示装置に組み込まれ、第２タッチパネル部の残部が面状光源装置に組み込まれている。従って、全体の厚さが厚くなることが無く、重量の大幅な増加も無く、しかも、製造コストの大幅な増加を招くことも無い、表示面及び裏面の両面にタッチパネル部を有する画像表示装置を提供することができる。
【図面の簡単な説明】
【００１１】
【図１】図１は、実施例１の画像表示装置［ケース：１−Ａ］の模式的な断面図である。
【図２】図２は、実施例１の画像表示装置［ケース：１−Ｂ］の模式的な断面図である。
【図３】図３は、実施例１の画像表示装置［ケース：１−Ｃ］の模式的な断面図である。
【図４】図４は、実施例１の画像表示装置［ケース：１−Ｄ］の模式的な断面図である。
【図５】図５は、実施例１の画像表示装置［ケース：１−Ｇ］の模式的な断面図である。
【図６】図６は、実施例１の画像表示装置［ケース：１−Ｊ］の模式的な断面図である。
【図７】図７は、実施例２の画像表示装置［ケース：２−Ａ］の模式的な断面図である。
【図８】図８は、実施例２の画像表示装置［ケース：２−Ｇ］の模式的な断面図である。
【図９】図９は、実施例３の画像表示装置［ケース：３−Ａ］の模式的な断面図である。
【図１０】図１０は、実施例３の画像表示装置［ケース：３−Ｇ］の模式的な断面図である。
【図１１】図１１は、実施例３の画像表示装置［ケース：３−Ｊ］の模式的な断面図である。
【図１２】図１２は、実施例４の画像表示装置［ケース：４−Ａ］の模式的な断面図である。
【図１３】図１３は、実施例４の画像表示装置［ケース：４−Ｅ］の模式的な断面図である。
【図１４】図１４は、実施例５の画像表示装置［ケース：５−Ａ］の模式的な断面図である。
【図１５】図１５は、実施例５の画像表示装置［ケース：５−Ｂ］の模式的な断面図である。
【図１６】図１６は、実施例５の画像表示装置［ケース：５−Ｃ］の模式的な断面図である。
【図１７】図１７は、実施例５の画像表示装置［ケース：５−Ｅ］の模式的な断面図である。
【図１８】図１８は、実施例５の画像表示装置［ケース：５−Ｇ］の模式的な断面図である。
【図１９】図１９は、実施例６の画像表示装置［ケース：６−Ａ］の模式的な断面図である。
【図２０】図２０は、実施例６の画像表示装置［ケース：６−Ｅ］の模式的な断面図である。
【図２１】図２１は、実施例７の画像表示装置［ケース：７−Ａ］の模式的な断面図である。
【図２２】図２２は、実施例７の画像表示装置［ケース：７−Ｅ］の模式的な断面図である。
【図２３】図２３は、実施例７の画像表示装置［ケース：７−Ｇ］の模式的な断面図である。
【図２４】図２４は、実施例８の画像表示装置［ケース：８−Ａ］の模式的な断面図である。
【図２５】図２５は、実施例８の画像表示装置［ケース：８−Ｅ］の模式的な断面図である。
【図２６】図２６の（Ａ）は、実施例１及び実施例５の画像表示装置を構成する液晶セルの模式的な一部断面図であり、図２６の（Ｂ）は、実施例２〜実施例４、実施例５〜実施例８の画像表示装置を構成する液晶セルの模式的な一部断面図である。
【図２７】図２７の（Ａ）及び（Ｂ）は、実施例２〜実施例４、実施例５〜実施例８の画像表示装置を構成する液晶セルの変形例の模式的な一部断面図である。
【図２８】図２８は、タッチパネル制御部を構成する検出部の回路図である。
【図２９】図２９の（Ａ）及び（Ｂ）は、タッチパネル制御部を構成する別の検出部の回路図である。
【図３０】図３０は、第１タッチパネル部の模式的な平面図、及び、タッチパネル制御部の動作タイミングチャートである。
【図３１】図３１は、第１検出電極と駆動電極の配置状態を模式的に示す分解斜視図である。
【図３２】図３２は、第１検出電極と駆動電極の別の配置状態を模式的に示す分解斜視図である。
【図３３】図３３は、第１検出電極と駆動電極の更に別の配置状態を模式的に示す分解斜視図である。
【発明を実施するための形態】
【００１２】
以下、図面を参照して、実施例に基づき本開示を説明するが、本開示は実施例に限定されるものではなく、実施例における種々の数値や材料は例示である。尚、説明は、以下の順序で行う。
１．本開示の第１の態様〜第４の態様に係る画像表示装置、全般に関する説明
２．実施例１（本開示の第１の態様に係る画像表示装置）
３．実施例２（実施例１の変形）
４．実施例３（本開示の第２の態様に係る画像表示装置）
５．実施例４（実施例３の変形）
６．実施例５（本開示の第３の態様に係る画像表示装置）
７．実施例６（実施例５の変形）
８．実施例７（本開示の第４の態様に係る画像表示装置）
９．実施例８（実施例７の変形）、
１０．実施例９（検出部）、その他
【００１３】
［本開示の第１の態様〜第４の態様に係る画像表示装置、全般に関する説明］
本開示の第１の態様〜第４の態様に係る画像表示装置において、駆動電極は画像表示層を駆動する電極を兼ねている形態とすることができる。
【００１４】
上記の好ましい形態を含む本開示の第１の態様〜第４の態様に係る画像表示装置において、
第１検出電極、第２検出電極及び駆動電極は、検出部に接続されており、
検出部は、第１検出電極及び駆動電極によって構成される第１容量部と直列に接続された第１キャパシタ、及び、第２検出電極及び駆動電極によって構成される第２容量部と直列に接続された第２キャパシタを備えている構成とすることができる。そして、この場合、検出部は、第１キャパシタと並列に接続された第１オペレーショナル・アンプリファイア、及び、第２キャパシタと並列に接続された第２オペレーショナル・アンプリファイアを更に備えている構成とすることができる。
【００１５】
あるいは又、上記の好ましい形態を含む本開示の第１の態様〜第４の態様に係る画像表示装置において、
第１検出電極、第２検出電極及び駆動電極は、検出部に接続されており、
検出部は、第１検出電極及び駆動電極によって構成される第１容量部、並びに、第２検出電極及び駆動電極によって構成される第２容量部と、直列に接続された可変容量のキャパシタを備えており、
第１タッチパネル部の検出時と第２タッチパネル部の検出時とでキャパシタの容量を変える構成とすることができる。そして、この場合、
検出部は、キャパシタと並列に接続されたオペレーショナル・アンプリファイアを更に備えている構成とすることができる。
【００１６】
あるいは又、上記の好ましい形態を含む本開示の第１の態様〜第４の態様に係る画像表示装置において、
第１検出電極、第２検出電極及び駆動電極は、検出部に接続されており、
検出部は、第１検出電極及び駆動電極によって構成される第１容量部、並びに、第２検出電極及び駆動電極によって構成される第２容量部と、直列に接続されたキャパシタを備えており、
検出部は、更に、キャパシタと並列に接続されたオペレーショナル・アンプリファイアを備えており、
第１タッチパネル部の検出時と第２タッチパネル部の検出時とでオペレーショナル・アンプリファイアの基準電圧を変える構成とすることができる。
【００１７】
本開示の第１の態様〜第４の態様に係る画像表示装置として、周知の構成、構造を有する液晶表示装置、具体的には、例えば、ＴＮ（ツイステッドネマティック）、ＶＡ（垂直配向）、ＥＣＢ（電界制御複屈折）、ＦＦＳ（フリンジフィールドスイッチング）、ＩＰＳ（インプレーンスイッチング）等の各種モード（縦電界モード及び横電界モード）の液晶を用いた液晶表示装置を挙げることができる。また、本開示の第１の態様〜第２の態様に係る画像表示装置として、周知の構成、構造を有する有機エレクトロルミネッセンス表示装置（有機ＥＬ表示装置）、電子ペーパーを挙げることができる。
【００１８】
本開示の第１の態様〜第４の態様に係る画像表示装置において、第１検出電極、第２検出電極及び駆動電極の配置として、グリッド方式を挙げることができるが、これに限定するものはなく、ワイヤーセンサー方式を採用してもよい。
【００１９】
本開示の第１の態様あるいは第２の態様に係る画像表示装置を液晶表示装置とする場合の画像表示装置、あるいは又、本開示の第３の態様あるいは第４の態様に係る画像表示装置は、周知の構成、構造を有する液晶表示装置とすればよく、第１基板、第２基板、液晶から成る画像表示層の他に、例えば、第１偏光板、第１電極、第２電極、カラーフィルタ、第２偏光板から構成されており、第１基板には、画像表示層において画像を生成するための薄膜トランジスタ（ＴＦＴ）等が形成されている。第１電極は、第１基板上に形成された層間絶縁層上に形成されており、配線やコンタクトホールを介してＴＦＴに接続されている。第２電極は、通常、共通電極とされている。そして、第２電極は、第２基板に形成されており、あるいは又、第１基板に形成されている。後者の場合、第１電極と第２電極とは、同一面内に形成されており、あるいは又、第１電極が下方に位置し、第２電極が上方に位置するように形成されており、あるいは又、第１電極が上方に位置し、第２電極が下方に位置するように形成されている。画像表示層において生成した画像は、例えば、カラーフィルタ、第２偏光板、第２基板、及び、第１タッチパネル部を介して（これらの配列順序、積層順序に関しては後述する）、使用者（画像観察者）に認識される。本開示の第１の態様〜第４の態様に係る画像表示装置においては、画像表示層を駆動する第２電極を駆動電極とすることができ、この場合、例えば、第１検出電極及び第２検出電極を、第１の方向に延びるようにパターニングし、駆動電極（第２電極）を、第１の方向とは異なる第２の方向（例えば、第１の方向と直交する第２の方向）に延びるようにパターニングすればよい。画像表示装置の構成、構造に依存するが、偏光板に検出電極を組み込んでもよい。尚、液晶表示装置として、透過型の液晶表示装置や、反射型の液晶表示装置、半透過／半反射型の液晶表示装置を挙げることができる。
【００２０】
また、本開示の第１の態様あるいは第２の態様に係る画像表示装置を有機ＥＬ表示装置とする場合、有機ＥＬ表示装置は、周知の構成、構造を有する有機ＥＬ表示装置とすればよい。画像表示層は発光層を備えた有機層から構成されており、有機層は第１電極及び第２電極によって挟まれている。第１基板には、画像表示層において画像を生成するためのＴＦＴ等が形成されており、ＴＦＴ等は層間絶縁層で覆われている。有機ＥＬ表示装置を所謂上面発光型とする場合、第１電極は、第１基板に形成された層間絶縁層上に形成されており、配線やコンタクトホールを介してＴＦＴに接続されている。第２電極は、通常、共通電極とされている。また、第２基板と第２電極とは、接着剤層を介して接合されている。そして、画像表示層において生成した画像は、第２電極、第２基板、及び、第１タッチパネル部を介して、使用者（画像観察者）に認識される。一方、有機ＥＬ表示装置を所謂下面発光型とする場合、第２基板には、画像表示層において画像を生成するためのＴＦＴ等が形成されており、ＴＦＴ等は層間絶縁層で覆われている。そして、第２電極は、第２基板に形成された層間絶縁層上に形成されている。一方、第１基板と第１電極とは、接着剤層を介して接合されている。そして、画像表示層において生成した画像は、第２電極、第２基板、及び、第１タッチパネル部を介して、使用者（画像観察者）に認識される。本開示の第１の態様に係る画像表示装置を有機ＥＬ表示装置とする場合、画像表示層を駆動する第２電極を駆動電極とすればよく、この場合、例えば、第１検出電極及び第２検出電極を、第１の方向に延びるようにパターニングし、駆動電極（第２電極）を、第１の方向とは異なる第２の方向（例えば、第１の方向と直交する第２の方向）に延びるようにパターニングすればよい。また、本開示の第２の態様に係る画像表示装置を有機ＥＬ表示装置とする場合にも、例えば、第１検出電極及び第２検出電極を、第１の方向に延びるようにパターニングし、駆動電極を、第１の方向とは異なる第２の方向（例えば、第１の方向と直交する第２の方向）に延びるようにパターニングすればよい。
【００２１】
以上に説明した各種の好ましい形態、構成を含む本開示の第１の態様〜第４の態様に係る画像表示装置は、例えば、携帯用ゲーム機、ゲーム機の端末、スマートフォン、タブレットパーソナルコンピュータ、ラップトップパーソナルコンピュータ、電子ブック端末等に組み込むことができる。本開示の第１の態様〜第４の態様に係る画像表示装置において、第１タッチパネル部及び第２タッチパネル部は、表面型の静電容量方式のタッチパネルとすることもできるが、投影型の静電容量方式のタッチパネルから成ることが好ましく、所謂インセル方式である。そして、画像表示層に表示された画像を、第２基板及び第１タッチパネル部を介して、使用者（画像観察者）は認識することができる。第２タッチパネル部に関連する画像を、画像表示層に表示してもよいし、表示しなくともよい。
【００２２】
第１検出電極は、透明導電性材料（例えばＩＴＯ）から構成されている。第２検出電極及び駆動電極は、透明導電性材料から構成してもよいし、場合によっては、不透明導電性材料から構成してもよい。第１検出電極は、必要に応じて、例えばガラス基板やプラスチックフィルム、プラスチックシート、プラスチック基板といった透明な被覆部材で覆われている。第２検出電極も、必要に応じて、例えばガラス基板やプラスチックフィルム、プラスチックシート、プラスチック基板といった被覆部材で覆われている。
【実施例１】
【００２３】
実施例１は、本開示の第１の態様に係る画像表示装置に関する。実施例１、あるいは、後述する実施例２〜実施例１０の画像表示装置１０は、模式的な断面図を図１〜図２５に示すように、
第１面２１Ａ、及び、第１面２１Ａと対向する第２面２１Ｂを有する第１基板２１、
第１面３１Ａ、及び、第１面３１Ａと対向する第２面３１Ｂを有し、第１面３１Ａが第１基板２１の第２面２１Ｂと対向して配置された、透明な材料から成る第２基板３１、並びに、
第１基板２１と第２基板３１の間に配された画像表示層（具体的には、液晶層）４０Ａ，４０Ｂ、
から構成されている。また、第１基板２１の第１面側には、面状光源装置８０が配されている。面状光源装置８０は、具体的には、周知の構成、構造を有する導光板から成り、面状光源装置８０の側部には光源（図示せず）が配されている。
【００２４】
そして、実施例１の画像表示装置１０にあっては、図１に模式的な断面図を示すように、また、第１検出電極１６１と駆動電極１６３の配置状態（分解斜視図）を図３１に模式的に示すように、
第２基板３１の第１面側には、駆動電極１６３が設けられており、
第２基板３１の第２面３１Ｂには、複数の第１検出電極１６１が設けられており、
第１基板２１には、第２検出電極１６２が設けられており、
第１検出電極１６１と駆動電極１６３によって、静電容量方式の第１タッチパネル部５１が構成されており、
第２検出電極１６２と駆動電極１６３によって、静電容量方式の第２タッチパネル部５２が構成されている。尚、駆動電極１６３は、液晶層４０Ａを駆動する電極（具体的には、第２電極、共通電極）を兼ねている。即ち、駆動電極１６３には、パルス電圧（パルス信号）Ｖcomが印加される。パルス電圧（パルス信号）Ｖcomとして、数キロヘルツから数百キロヘルツの周波数を有する交流矩形波を例示することができる。
【００２５】
液晶セルの模式的な一部断面図を図２６の（Ａ）に示すように、ガラス基板から成る第１基板（画素基板）２１の第２面２１Ｂには、ゲート電極９０１、ゲート絶縁層９０２、チャネル形成領域９０３、ソース／ドレイン領域９０４から構成されたＴＦＴが形成されており、ＴＦＴは層間絶縁層（第１層間絶縁層９１１、第２層間絶縁層９１２）で覆われている。また、層間絶縁層９１２上に、透明導電性材料（例えばＩＴＯ）から成るマトリクス状に形成された第１電極（画素電極）１２３が形成されている。第１電極１２３は、コンタクトホール９０５を介してＴＦＴに接続されている。尚、図１〜図２５においては、ＴＦＴ及び層間絶縁層を纏めて層２２（便宜上、『ＴＦＴ層２２』と呼ぶ）として模式的に１層で表し、具体的なＴＦＴは図示していない。また、第１電極（画素電極）１２３上には配向膜が形成されているが、図示は省略している。一方、第１基板２１と対向した第２基板（対向基板）３１の第１面３１Ａ上には、カラーフィルタ３２が形成され、カラーフィルタ３２上に、透明導電性材料（例えばＩＴＯ）から成り、パターニングされた複数の駆動電極１６３が設けられている。駆動電極１６３上には配向膜が形成されているが、図示は省略している。カラーフィルタ３２は、例えば、赤色、緑色、青色の３色のカラーフィルタ層から成り、これらのカラーフィルタ層が周期的に配列されている。尚、参照番号４１は、第１基板２１と第２基板３１の外周部を封止する封止部材である。第１電極（画素電極）１２３、液晶層４０Ａ、第２電極（共通電極）１６３及びカラーフィルタ３２によって１つの表示セル（副画素）が構成され、赤色表示副画素、緑色表示副画素及び青色表示副画素の３つの副画素が１組となって、１つの画素が構成される。液晶層４０Ａは、電界の状態に応じて通過する光を変調するものであり、例えば、ＴＮ（ツイステッドネマティック）、ＶＡ（垂直配向）、ＥＣＢ（電界制御複屈折）といった縦電界モードの液晶から構成されている。ＴＦＴ層２２には、第１電極１２３を駆動するための駆動ドライバやＴＦＴの他、第１電極１２３に画素信号を供給するソース線や、ＴＦＴを駆動するゲート線等の配線が形成されているが、これらの図示は省略した。ＴＦＴは、図示しない画像表示装置を駆動する駆動回路（図示せず）に接続されている。
【００２６】
第１検出電極１６１は、第２基板３１の第２面３１Ｂ上に形成されており、第１検出電極１６１の上に第２偏光板３４が配されている。そして、第１検出電極１６１及び第２偏光板３４の積層構造は、透明な接着剤層６４によって、ガラス基板から成る透明な被覆部材６５に接着されている。一方、第２検出電極１６２は、第１基板２１の第１面２１Ａ上に形成されており、第２検出電極１６２の上に第１偏光板２４が配されている。そして、第２検出電極１６２及び第１偏光板２４の積層構造は、透明な接着剤層（図示せず）によって、第１基板２１に固定されている。第１タッチパネル部５１及び第２タッチパネル部５２はグリッド方式である。パターニングされた複数の第１検出電極１６１及びパターニングされた複数の第２検出電極１６２が、例えば、Ｙ方向（第２の方向）に配されており、複数の駆動電極１６３が、例えば、Ｘ方向（第１の方向）に配されている。第１検出電極１６１、第２検出電極１６２及び駆動電極１６３は、透明導電性材料（例えばＩＴＯ）から成り、検出部（検出回路）７１を備えたタッチパネル制御部７０に接続されている。検出部７１に関しては後述する。
【００２７】
ここで、被覆部材６５が、使用者が第１タッチパネル部５１に触れる接触面に相当する。画像表示装置１０の所定の位置には、使用者の指の接触を促すアイコンが表示されている。そして、使用者の指が所定のアイコンの上方に位置する被覆部材６５の部分に接触すると、この接触を、第１検出電極１６１及び駆動電極１６３によって検出することができる。一方、第１基板２１と対向する面状光源装置８０の第１面８０Ａとは反対側の第２面８０Ｂに使用者の指が接触すると、この接触を、第２検出電極１６２及び駆動電極１６３によって検出することができる。
【００２８】
第１タッチパネル部５１の模式的な平面図、及び、タッチパネル制御部７０の動作タイミングチャートを図３０に示す。尚、第１タッチパネル部５１の模式的な平面図においては、２０本の駆動電極を＃１〜＃２０で示している。また、第１検出電極を、「検出電極」で示している。更には、第１検出電極及び駆動電極によって構成される第１容量部をＣ1で示す。
【００２９】
タッチパネル制御部７０からパルス電圧Ｖcomが駆動電極１６３に時分割的に順次送出され、走査される。そして、第１検出電極１６１と駆動電極１６３の重複領域近傍に指が接近し、あるいは、接触すると、指の容量に起因して第１検出電極１６１と駆動電極１６３との間の電圧に変化が生じる。この電圧変化をタッチパネル制御部７０において検出することで、第１タッチパネル部５１のどの部分に指が接触したかを検出することができる。同様に、第２検出電極１６２と駆動電極１６３の重複領域近傍に指が接近し、あるいは、接触すると、指の容量に起因して第２検出電極１６２と駆動電極１６３との間の電圧に変化が生じる。この電圧変化をタッチパネル制御部７０において検出することで、第２タッチパネル部５２のどの部分に指が接触したかを検出することができる。尚、図３０の動作タイミングチャートにおいては、駆動電極＃２に使用者の指が接しているとしている。
【００３０】
実施例１の画像表示装置における各層構成を、種々、変形することができる。以下の表１Ａ〜表１Ｄに変形例を示すが、図１に示した実施例１の画像表示装置における各層構成は、［ケース：１−Ａ］に該当する。尚、［ケース：１−Ｇ］〜［ケース：１−Ｌ］においては、駆動電極１６３と第２電極１２５とを別個に設けているが、これらの駆動電極と第２電極とを同電位としておけばよい。尚、［ケース：１−Ｂ］、［ケース：１−Ｃ］、［ケース：１−Ｄ］、［ケース：１−Ｇ］及び［ケース：１−Ｊ］における画像表示装置の模式的な断面図を、それぞれ、図２、図３、図４、図５及び図６に示す。
【００３１】
［表１Ａ］
0005726111.tif 000002
【００３２】
［表１Ｂ］
0005726111.tif 000003
【００３３】
［表１Ｃ］
0005726111.tif 000004
【００３４】
［表１Ｄ］
0005726111.tif 000005
【００３５】
実施例１の画像表示装置においては、第１タッチパネル部及び第２タッチパネル部が画像表示装置に組み込まれている。従って、全体の厚さが厚くなることが無く、重量の大幅な増加も無く、しかも、製造コストの大幅な増加を招くことも無い、表示面及び裏面の両面にタッチパネル部を有する画像表示装置を提供することができる。以下に説明する実施例２〜実施例４に画像表示装置においても同様である。
【実施例２】
【００３６】
実施例２は、実施例１の変形である。実施例２の画像表示装置の模式的な断面図を図７に示す。実施例２においては、画像表示層（具体的には、液晶層）４０Ｂを構成する液晶として、ＦＦＳ（フリンジフィールドスイッチング）、ＩＰＳ（インプレーンスイッチング）等の横電界モードの液晶を用いる。それ故、第１電極２２３及び第２電極２２５は、第１基板側に設けられている。具体的には、液晶セルの模式的な一部断面図を図２６の（Ｂ）に示すように、第１電極２２３及び第２電極２２５は、液晶層４０Ｂと対向して、ＴＦＴ層２２上に形成されており、第１電極２２３は、コンタクトホール９０５を介してＴＦＴに接続されている。ＴＦＴは、図示しない画像表示装置を駆動する駆動回路（図示せず）に接続されている。一方、第２電極２２５は、ＴＦＴ層２２に形成された配線９０６を介して、駆動回路に接続されている。第２基板側に設けられた駆動電極２６３は、カラーフィルタ３２と画像表示層（具体的には、液晶層）４０Ｂとの間に設けられているが、実施例１と異なり、第２電極を兼ねていない。即ち、駆動電極２６３と第２電極２２５とは、別個に制御される。駆動電極２６３は、タッチパネル制御部７０に接続されており、パルス駆動信号が印加される。あるいは又、駆動電極２６３は、第２基板３１とカラーフィルタ３２との間に設けられている。尚、参照番号２６１及び参照番号２６２は、それぞれ、第１検出電極及び第２検出電極を指す。以上の点を除き、実施例２の画像表示装置は、実施例１の画像表示装置と同様の構成、構造とすることができるので、詳細な説明は省略する。
【００３７】
実施例２の画像表示装置における各層構成を、種々、変形することができる。以下の表２Ａ〜表２Ｄに変形例を示すが、図７に示す実施例２の画像表示装置における各層構成は、［ケース：２−Ａ］に該当する。また、［ケース：２−Ｇ］における画像表示装置の模式的な断面図を図８に示す。
【００３８】
［表２Ａ］
0005726111.tif 000006
【００３９】
［表２Ｂ］
0005726111.tif 000007
【００４０】
［表２Ｃ］
0005726111.tif 000008
【００４１】
［表２Ｄ］
0005726111.tif 000009
【実施例３】
【００４２】
実施例３は、本開示の第２の態様に係る画像表示装置に関する。実施例３の画像表示装置の模式的な断面図を図９に示す。実施例３においては、
第１基板２１の第２面側には、駆動電極が設けられており、
第２基板３１には、複数の第１検出電極３６１が設けられており、
第１基板２１の第１面２１Ａには、第２検出電極３６２が設けられており、
第１検出電極３６１と駆動電極によって、静電容量方式の第１タッチパネル部５１が構成されており、
第２検出電極３６２と駆動電極によって、静電容量方式の第２タッチパネル部５２が構成されている。尚、実施例３においても、駆動電極はパターニングされ、複数設けられており、第２検出電極３６２もパターニングされ、複数設けられている。
【００４３】
具体的には、第１電極３２３及び第２電極３２５が、液晶層４０Ｂと対向して、ＴＦＴ層２２上に形成されており、第１電極３２３は、図示しない配線やコンタクトホールを介してＴＦＴに接続されている。ＴＦＴは、図示しない画像表示装置を駆動する駆動回路（図示せず）に接続されている。実施例３にあっては、実施例２と異なり、独立した駆動電極が設けられておらず、その代わりに、第２電極３２５が駆動電極を兼ねている。第２電極３２５は、ＴＦＴ層２２に形成された配線９０６（図２６の（Ｂ）参照）を介して、タッチパネル制御部７０に接続されており、パルス電圧Ｖcomが印加される。以上の点を除き、実施例３の画像表示装置は、実施例２の画像表示装置と同様の構成、構造とすることができるので、詳細な説明は省略する。
【００４４】
実施例３の画像表示装置における各層構成を、種々、変形することができる。以下の表３Ａ〜表３Ｄに変形例を示すが、図９に示す実施例３の画像表示装置における各層構成は、［ケース：３−Ａ］に該当する。また、［ケース：３−Ｇ］及び［ケース：３−Ｊ］における画像表示装置の模式的な断面図を図１０及び図１１に示す。
【００４５】
［表３Ａ］
0005726111.tif 000010
【００４６】
［表３Ｂ］
0005726111.tif 000011
【００４７】
［表３Ｃ］
0005726111.tif 000012
【００４８】
［表３Ｄ］
0005726111.tif 000013
【実施例４】
【００４９】
実施例４は、実施例３の変形である。実施例４の画像表示装置の模式的な断面図を図１２に示す。実施例４においては、実施例３と異なり、駆動電極４６３が第２電極４２５と別個に、第１基板側に設けられている。具体的には、駆動電極４６３は、第１基板２１とＴＦＴ層２２との間に設けられている。駆動電極４６３は、ＴＦＴ層２２に形成された配線を介して、タッチパネル制御部７０に接続されており、パルス駆動信号が印加される。以上の点を除き、実施例４の画像表示装置は、実施例３の画像表示装置と同様の構成、構造とすることができるので、詳細な説明は省略する。
【００５０】
実施例４の画像表示装置における各層構成を、種々、変形することができる。以下の表４Ａ及び表４Ｂに変形例を示すが、図１２に示す実施例４の画像表示装置における各層構成は、［ケース：４−Ａ］に該当する。また、［ケース：４−Ｅ］における画像表示装置の模式的な断面図を図１３に示す。
【００５１】
［表４Ａ］
0005726111.tif 000014
【００５２】
［表４Ｂ］
0005726111.tif 000015
【実施例５】
【００５３】
実施例５は、本開示の第３の態様に係る画像表示装置に関する。実施例５の画像表示装置１０は、模式的な断面図を図１４に示すように、
第２基板３１の第１面側には、駆動電極５６３が設けられており、
第２基板３１の第２面３１Ｂには、複数の第１検出電極５６１が設けられており、
面状光源装置８０には、第２検出電極５６２が設けられており、
第１検出電極５６１と駆動電極５６３によって、静電容量方式の第１タッチパネル部５１が構成されており、
第２検出電極５６２と駆動電極５６３によって、静電容量方式の第２タッチパネル部５２が構成されている。尚、駆動電極５６３は、実施例１と同様に、液晶層４０Ａを駆動する電極（具体的には、第２電極、共通電極）を兼ねている。即ち、駆動電極５６３には、パルス電圧Ｖcomが印加される。尚、実施例５においても、駆動電極５６３はパターニングされ、複数設けられており、第２検出電極５６２もパターニングされ、複数設けられている。
【００５４】
第１基板、第２基板及び面状光源装置の構成、並びに、第１検出電極５６１及び駆動電極５６３の構成は、第２検出電極５６２の配置位置が異なる点を除き、実質的に、実施例１の画像表示装置における第１基板、第２基板及び面状光源装置の構成、並びに、第１検出電極及び１６１駆動電極１６３の構成と同じであるが故に、詳細な説明は省略する。
【００５５】
実施例５の画像表示装置における各層構成を、種々、変形することができる。以下の表５Ａ〜表５Ｂに変形例を示すが、図１４に示した実施例５の画像表示装置における各層構成は、［ケース：５−Ａ］に該当する。尚、［ケース：５−Ｅ］〜［ケース：５−Ｈ］においては、駆動電極と第２電極とを別個に設けているが、これらの駆動電極５６３と第２電極１２５とを同電位としておけばよい。尚、［ケース：５−Ｂ］、［ケース：５−Ｃ］、［ケース：５−Ｄ］及び［ケース：５−Ｇ］における画像表示装置の模式的な断面図を、それぞれ、図１５、図１６、図１７及び図１８に示す。
【００５６】
［表５Ａ］
0005726111.tif 000016
【００５７】
［表５Ｂ］
0005726111.tif 000017
【００５８】
実施例５の画像表示装置においては、第１タッチパネル部及び第２タッチパネル部が画像表示装置及び面状光源装置に組み込まれている。従って、全体の厚さが厚くなることが無く、重量の大幅な増加も無く、しかも、製造コストの大幅な増加を招くことも無い、表示面及び裏面の両面にタッチパネル部を有する画像表示装置を提供することができる。以下に説明する実施例６〜実施例８に画像表示装置においても同様である。
【実施例６】
【００５９】
実施例６は、実施例５の変形である。実施例６の画像表示装置の模式的な断面図を図１９に示す。実施例６においては、実施例２と同様に、画像表示層（具体的には、液晶層）４０Ｂを構成する液晶として、ＦＦＳ（フリンジフィールドスイッチング）、ＩＰＳ（インプレーンスイッチング）等の横電界モードの液晶を用いる。それ故、実施例２と同様に、第１電極２２３及び第２電極２２５は、第１基板側に設けられている。第２基板側に設けられた駆動電極６６３は、カラーフィルタ３２と画像表示層（具体的には、液晶層）４０Ｂとの間に設けられているが、実施例５と異なり、第２電極を兼ねていない。あるいは又、駆動電極６６３は、第２基板３１とカラーフィルタ３２との間に設けられている。即ち、駆動電極６６３と第２電極２２５とは、別個に制御される。尚、参照番号６６１、参照番号６６２は、第１検出電極、第２検出電極を指す。以上の点を除き、実施例６の画像表示装置は、実施例５の画像表示装置と同様の構成、構造とすることができるので、詳細な説明は省略する。
【００６０】
実施例６の画像表示装置における各層構成を、種々、変形することができる。以下の表６Ａ〜表６Ｂに変形例を示すが、図１９に示す実施例６の画像表示装置における各層構成は、［ケース：６−Ａ］に該当する。また、［ケース：６−Ｅ］における画像表示装置の模式的な断面図を図２０に示す。
【００６１】
［表６Ａ］
0005726111.tif 000018
【００６２】
［表６Ｂ］
0005726111.tif 000019
【実施例７】
【００６３】
実施例７は、本開示の第４の態様に係る画像表示装置に関する。実施例７の画像表示装置の模式的な断面図を図２１に示す。実施例７においては、
第１基板２１の第２面側には、駆動電極が設けられており、
第２基板３１には、複数の第１検出電極７６１が設けられており、
面状光源装置８０には、第２検出電極７６２が設けられており、
第１検出電極７６１と駆動電極によって、静電容量方式の第１タッチパネル部５１が構成されており、
第２検出電極７６２と駆動電極によって、静電容量方式の第２タッチパネル部５２が構成されている。尚、実施例７においても、駆動電極はパターニングされ、複数設けられており、第２検出電極７６２もパターニングされ、複数設けられている。
【００６４】
具体的には、実施例３と同様に、第１電極３２３及び第２電極３２５が、液晶層４０Ｂと対向して、ＴＦＴ層２２上に形成されており、第１電極３２３は、図示しない配線やコンタクトホールを介してＴＦＴに接続されている。実施例７にあっては、実施例６と異なり、独立した駆動電極が設けられておらず、その代わりに、第２電極３２５が駆動電極を兼ねている。第２電極３２５は、実施例３と同様に、タッチパネル制御部７０に接続されている。以上の点を除き、実施例７の画像表示装置は、実施例６の画像表示装置と同様の構成、構造とすることができるので、詳細な説明は省略する。
【００６５】
実施例７の画像表示装置における各層構成を、種々、変形することができる。以下の表７Ａ〜表７Ｂに変形例を示すが、図２１に示す実施例７の画像表示装置における各層構成は、［ケース：７−Ａ］に該当する。また、［ケース：７−Ｅ］及び［ケース：７−Ｇ］における画像表示装置の模式的な断面図を図２２及び図２３に示す。
【００６６】
［表７Ａ］
0005726111.tif 000020
【００６７】
［表７Ｂ］
0005726111.tif 000021
【実施例８】
【００６８】
実施例８は、実施例７の変形である。実施例８の画像表示装置の模式的な断面図を図２４に示す。実施例８においては、実施例７と異なり、駆動電極８６３が第２電極４２５と別個に、第１基板側に設けられている。具体的には、駆動電極８６３は、第１基板２１とＴＦＴ層２２との間に設けられている。以上の点を除き、実施例８の画像表示装置は、実施例７の画像表示装置と同様の構成、構造とすることができるので、詳細な説明は省略する。
【００６９】
実施例８の画像表示装置における各層構成を、種々、変形することができる。以下の表８Ａ及び表８Ｂに変形例を示すが、図２４に示す実施例８の画像表示装置における各層構成は、［ケース：８−Ａ］に該当する。また、［ケース：８−Ｅ］における画像表示装置の模式的な断面図を図２５に示す。
【００７０】
［表８Ａ］
0005726111.tif 000022
【００７１】
［表８Ｂ］
0005726111.tif 000023
【実施例９】
【００７２】
実施例９においては、検出部（検出回路）７１について説明する。尚、以下においては、実施例１の画像表示装置を例示にとり、説明を行うが、実施例９の検出部は、実施例２〜実施例８において説明した画像表示装置に適用することができることは云うまでもない。
【００７３】
図１に示したように、また、図２８に回路図を示すように、第１検出電極１６１、第２検出電極１６２及び駆動電極１６３は、検出部７１に接続されている。そして、検出部７１は、第１検出電極１６１及び駆動電極１６３によって構成される第１容量部ＣＰ11（容量：Ｃ11）と直列に接続された第１キャパシタＣＰ12（容量：Ｃ12）、及び、第２検出電極１６２及び駆動電極１６３によって構成される第２容量部ＣＰ21（容量：Ｃ21）と直列に接続された第２キャパシタＣＰ22（容量：Ｃ22）を備えている。検出部７１は、更に、第１キャパシタＣＰ12と並列に接続された第１オペレーショナル・アンプリファイアＯＰ1、及び、第２キャパシタＣＰ22と並列に接続された第２オペレーショナル・アンプリファイアＯＰ2を備えている。また、検出部７１には、第１キャパシタＣＰ12に並列に接続されたリセット用のスイッチ回路ＳＷ1、第２キャパシタＣＰ22に並列に接続されたリセット用のスイッチ回路ＳＷ2が備えられており、リセット用のスイッチ回路ＳＷ1，ＳＷ2をオン状態とすることで、第１キャパシタＣＰ12及び第２キャパシタＣＰ22を放電させ、一種の初期化を行うことができる。
【００７４】
以下、検出部７１の動作について説明する。尚、動作開始前に、都度、リセット用のスイッチ回路ＳＷ1，ＳＷ2をオン状態とすることで、第１キャパシタＣＰ12及び第２キャパシタＣＰ22を放電させておく。検出部７１の動作時、スイッチ回路ＳＷ1，ＳＷ2はオフ状態にある。駆動電極１６３には、パルス電圧Ｖcomが印加されているとする。
【００７５】
ここで、第１容量部ＣＰ11の容量はＣ11であり、第１キャパシタＣＰ12の容量はＣ12であるが故に、検出電圧Ｖ1は、
Ｖ1  ＝Ｖcom・（Ｃ11／Ｃ12）
で得られる。一方、使用者の指の接触検出時の第１容量部ＣＰ11の容量をＣ11’とすると、検出電圧Ｖ1’は、
Ｖ1’＝Ｖcom・（Ｃ11’／Ｃ12）
で得られる。尚、
Ｃ11’＜Ｃ11
であるが故に、
Ｖ1’＜Ｖ1
である。
【００７６】
同様に、第２容量部ＣＰ21の容量はＣ21であり、第２キャパシタＣＰ22の容量はＣ22であるが故に、検出電圧Ｖ2は、
Ｖ2  ＝Ｖcom・（Ｃ21／Ｃ22）
で得られる。一方、使用者の指の接触検出時の第２容量部ＣＰ21の容量をＣ21’とすると、検出電圧Ｖ2’は、
Ｖ2’＝Ｖcom・（Ｃ21’／Ｃ22）
で得られる。尚、
Ｃ21’＜Ｃ21
であるが故に、
Ｖ2’＜Ｖ2
である。
【００７７】
そして、これらの検出器７１の出力Ｖ1’，Ｖ2’は、タッチパネル制御部７０に設けられたＡＤ変換回路や、ノイズ除去のための各種フィルタを通され、最終的に、第１タッチパネル部５１、第２タッチパネル部５２への使用者の指の接触として検出される。
【００７８】
図２９の（Ａ）に、検出部の変形例の回路図を示す。この検出部（検出回路）１７１は、第１検出電極１６１及び駆動電極１６３によって構成される第１容量部ＣＰ11（容量Ｃ11）、並びに、第２検出電極１６２及び駆動電極１６３によって構成される第２容量部ＣＰ21（容量：Ｃ21）と、直列に接続された可変容量のキャパシタを備えており、第１タッチパネル部５１の検出時と第２タッチパネル部５２の検出時とで、キャパシタの容量を変える。検出部１７１は、更に、キャパシタと並列に接続されたオペレーショナル・アンプリファイアＯＰ3を備えている。キャパシタは、具体的には、オペレーショナル・アンプリファイアＯＰ3と並列に接続された第１キャパシタＣＰ31（容量：Ｃ31）及び第２キャパシタＣＰ32（容量：Ｃ32）から構成されている。また、オペレーショナル・アンプリファイアＯＰ3と第１キャパシタＣＰ31との間には、切替用の第１スイッチ回路ＳＷ3Dが設けられており、オペレーショナル・アンプリファイアＯＰ3と第２キャパシタＣＰ32との間には、切替用の第２スイッチ回路ＳＷ3Eが設けられている。更には、第１キャパシタＣＰ31及び第２キャパシタＣＰ32と並列に、リセット用のスイッチ回路ＳＷ3Cが備えられている。また、第１タッチパネル部５１の出力部には、第１スイッチ手段ＳＷ3Aが配設され、第２タッチパネル部５２の出力部には、第２スイッチ手段ＳＷ3Bが配設されている。
【００７９】
以下、検出部１７１の動作について説明する。尚、動作開始前に、都度、リセット用のスイッチ回路ＳＷ3Cをオン状態とすることで、第１キャパシタＣＰ31及び第２キャパシタＣＰ32を放電させておく。検出部１７１の動作時、スイッチ回路ＳＷ3Cはオフ状態にある。駆動電極１６３には、パルス電圧Ｖcomが印加されているとする。
【００８０】
第１タッチパネル部５１の検出時、第１スイッチ手段ＳＷ3A、切替用の第１スイッチ回路ＳＷ3Dをオン状態とし、第２スイッチ手段ＳＷ3B、切替用の第２スイッチ回路ＳＷ3Eをオフ状態とする。これによって、検出部７１と同様に、
Ｖ1’＝Ｖcom・（Ｃ11’／Ｃ31）
が得られる。一方、第２タッチパネル部５２の検出時、第２スイッチ手段ＳＷ3B、切替用の第２スイッチ回路ＳＷ3Eをオン状態とし、第１スイッチ手段ＳＷ3A、切替用の第１スイッチ回路ＳＷ3Dをオフ状態とする。これによって、検出部７１と同様に、
Ｖ2’＝Ｖcom・（Ｃ21’／Ｃ32）
が得られる。そして、これらの検出器１７１の出力Ｖ1’，Ｖ2’は、タッチパネル制御部７０に設けられたＡＤ変換回路や、ノイズ除去のための各種フィルタを通され、最終的に、第１タッチパネル部５１、第２タッチパネル部５２への使用者の指の接触として検出される。
【００８１】
図２９の（Ｂ）に、検出部の別の変形例の回路図を示す。この検出部（検出回路）２７１は、第１検出電極１６１及び駆動電極１６３によって構成される第１容量部ＣＰ11（容量Ｃ11）、並びに、第２検出電極１６２及び駆動電極１６３によって構成される第２容量部ＣＰ21（容量：Ｃ21）と、直列に接続されたキャパシタＣＰ40（容量Ｃ40）を備えており、検出部２７１は、更に、キャパシタＣＰ40と並列に接続されたオペレーショナル・アンプリファイアＯＰ4を備えている。そして、第１タッチパネル部５１の検出時と第２タッチパネル部５２の検出時とで、オペレーショナル・アンプリファイアＯＰ4の基準電圧Ｖref-1，Ｖref-2を変える。キャパシタＣＰ40と並列に、リセット用のスイッチ回路ＳＷ4Cが備えられている。また、第１タッチパネル部５１の出力部には、第１スイッチ手段ＳＷ4Aが配設され、第２タッチパネル部５２の出力部には、第２スイッチ手段ＳＷ4Bが配設されている。更には、基準電圧Ｖref-1，Ｖref-2を切り換えるための第１スイッチ回路ＳＷ4D、第２スイッチ回路ＳＷ4Eが配設されている。
【００８２】
以下、検出部２７１の動作について説明する。尚、動作開始前に、都度、リセット用のスイッチ回路ＳＷ4Cをオン状態とすることで、キャパシタＣＰ40を放電させておく。検出部２７１の動作時、スイッチ回路ＳＷ4Cはオフ状態にある。駆動電極１６３には、パルス電圧Ｖcomが印加されているとする。
【００８３】
第１タッチパネル部５１の検出時、第１スイッチ手段ＳＷ4A、切替用の第１スイッチ回路ＳＷ4Dをオン状態とし、第２スイッチ手段ＳＷ4B、切替用の第２スイッチ回路ＳＷ4Eをオフ状態とする。これによって、
Ｖ1’＝Ｖcom・（Ｃ11’／Ｃ40）−Ｖref-1
が得られる。一方、第２タッチパネル部５２の検出時、第２スイッチ手段ＳＷ4B、切替用の第２スイッチ回路ＳＷ4Eをオン状態とし、第１スイッチ手段ＳＷ4A、切替用の第１スイッチ回路ＳＷ4Dをオフ状態とする。これによって、
Ｖ2’＝Ｖcom・（Ｃ21’／Ｃ40）−Ｖref-2
が得られる。そして、これらの検出器２７１の出力Ｖ1’，Ｖ2’は、タッチパネル制御部７０に設けられたＡＤ変換回路や、ノイズ除去のための各種フィルタを通され、最終的に、第１タッチパネル部５１、第２タッチパネル部５２への使用者の指の接触として検出される。尚、容量Ｃ11’，Ｃ21’の値の差異が大きい場合、Ｖ1’の値とＶ2’の値の差異が大きくなるため、高い耐圧がタッチパネル制御部７０に要求される。然るに、基準電圧を切り換えることで、即ち、Ｖref-1の値、Ｖref-2の値を最適化することで、Ｖ1’の値とＶ2’の値の差異を小さくすることができる結果、タッチパネル制御部７０に要求される耐圧を低くすることができる。
【００８４】
以上、本開示を好ましい実施例に基づき説明したが、本開示はこれらの実施例に限定されるものではない。画像表示装置、タッチパネル部、検出部等の構成、構造は例示であり、適宜、変更することができる。実施例においては、図３１に示したように、第１検出電極、第２検出電極、駆動電極を帯状にパターニングしたが、第１検出電極、第２検出電極、駆動電極の形状はこれに限定するものではない。例えば、第１検出電極１６１と駆動電極１６３の配置状態（分解斜視図）を図３２に模式的に示すように、駆動電極１６３を、所謂ベタ電極（パターニングされていない１枚の電極）としてタッチパネル制御部７０に接続し、第１検出電極１６１を２次元マトリクス状に配設された複数の個別電極（矩形形状の電極）とし、各第１検出電極１６１を、配線を介してタッチパネル制御部７０に接続してもよい。あるいは又、第１検出電極１６１と駆動電極１６３の配置状態（分解斜視図）を図３３に模式的に示すように、駆動電極１６３を、実施例と同様に、帯状にパターニングされた電極としてタッチパネル制御部７０に接続し、第１検出電極１６１を、２次元マトリクス状に配設された複数の個別電極（矩形形状の電極）とし、各第１検出電極１６１を配線を介してタッチパネル制御部７０に接続してもよい。尚、以上に説明した個別電極（矩形形状の電極）を第２検出電極に適用することもできる。
【００８５】
実施例２〜実施例４、実施例６〜実施例８において、ＦＦＳ（フリンジフィールドスイッチング）、ＩＰＳ（インプレーンスイッチング）等の横電界モードの液晶を用いる場合、第１電極及び第２電極は第１基板側に設けられているが、図２６の（Ｂ）に図示したように、第１電極及び第２電極が、同一面内（同一平面）に形成されている形態に限定されない。例えば、以下、実施例２の画像表示装置を例にとり説明するが、液晶セルの模式的な一部断面図を図２７の（Ａ）に示すように、第１電極２２３が上方に位置し、第２電極２２５が下方に位置するように形成されている形態とすることもできる。ここで、第２電極２２５は層間絶縁層（第２層間絶縁層）９１２上に形成され、第２電極２２５及び層間絶縁層９１２は層間絶縁層（第３層間絶縁層）９１３によって覆われており、第１電極２２３が層間絶縁層９１３上に形成されている。第１電極２２３はコンタクトホール９０５を介してＴＦＴに接続されている。一方、第２電極２２５は配線９０６を介して駆動回路等に接続されている。あるいは又、液晶セルの模式的な一部断面図を図２７の（Ｂ）に示すように、第１電極２２３が下方に位置し、第２電極２２５が上方に位置するように形成されている形態とすることもできる。ここで、第１電極２２３は層間絶縁層（第２層間絶縁層）９１２上に形成され、第１電極２２３及び層間絶縁層９１２は層間絶縁層（第３層間絶縁層）９１３によって覆われており、第２電極２２５が層間絶縁層９１３上に形成されている。第１電極２２３はコンタクトホール９０５を介してＴＦＴに接続されている。一方、第２電極２２５は配線９０６を介して駆動回路等に接続されている。
【００８６】
尚、本開示は、以下のような構成を取ることもできる。
［１］《画像表示装置：第１の態様》
第１面、及び、第１面と対向する第２面を有する第１基板、
第１面、及び、第１面と対向する第２面を有し、第１面が第１基板の第２面と対向して配置された、透明な材料から成る第２基板、並びに、
第１基板と第２基板の間に配された画像表示層、
から構成されており、
第２基板の第１面側には、駆動電極が設けられており、
第２基板の第２面には、複数の第１検出電極が設けられており、
第１基板には、第２検出電極が設けられており、
第１検出電極と駆動電極によって、静電容量方式の第１タッチパネル部が構成されており、
第２検出電極と駆動電極によって、静電容量方式の第２タッチパネル部が構成されている画像表示装置。
［２］《画像表示装置：第２の態様》
第１面、及び、第１面と対向する第２面を有する第１基板、
第１面、及び、第１面と対向する第２面を有し、第１面が第１基板の第２面と対向して配置された、透明な材料から成る第２基板、並びに、
第１基板と第２基板の間に配された画像表示層、
から構成されており、
第１基板の第２面側には、駆動電極が設けられており、
第２基板には、複数の第１検出電極が設けられており、
第１基板の第１面には、第２検出電極が設けられており、
第１検出電極と駆動電極によって、静電容量方式の第１タッチパネル部が構成されており、
第２検出電極と駆動電極によって、静電容量方式の第２タッチパネル部が構成されている画像表示装置。
［３］画像表示層は横電界モードの液晶層から成る［２］に記載の画像表示装置。
［４］《画像表示装置：第３の態様》
第１面、及び、第１面と対向する第２面を有する第１基板、
第１面、及び、第１面と対向する第２面を有し、第１面が第１基板の第２面と対向して配置された、透明な材料から成る第２基板、
第１基板と第２基板の間に配された液晶から成る画像表示層、並びに、
第１基板の第１面側に配された面状光源装置、
から構成されており、
第２基板の第１面側には、駆動電極が設けられており、
第２基板の第２面には、複数の第１検出電極が設けられており、
面状光源装置には、第２検出電極が設けられており、
第１検出電極と駆動電極によって、静電容量方式の第１タッチパネル部が構成されており、
第２検出電極と駆動電極によって、静電容量方式の第２タッチパネル部が構成されている画像表示装置。
［５］《画像表示装置：第４の態様》
第１面、及び、第１面と対向する第２面を有する第１基板、
第１面、及び、第１面と対向する第２面を有し、第１面が第１基板の第２面と対向して配置された、透明な材料から成る第２基板、
第１基板と第２基板の間に配された液晶から成る画像表示層、並びに、
第１基板の第１面側に配された面状光源装置、
から構成されており、
第１基板の第２面側には、駆動電極が設けられており、
第２基板には、複数の第１検出電極が設けられており、
面状光源装置には、第２検出電極が設けられており、
第１検出電極と駆動電極によって、静電容量方式の第１タッチパネル部が構成されており、
第２検出電極と駆動電極によって、静電容量方式の第２タッチパネル部が構成されている画像表示装置。
［６］画像表示層は横電界モードの液晶層から成る［５］に記載の画像表示装置。
［７］複数の第１検出電極及び複数の第２検出電極は、第１の方向に延び、
複数の駆動電極は、第１の方向とは異なる第２の方向に延びる［１］乃至［６］のいずれか１項に記載の画像表示装置。
［８］駆動電極は、画像表示層を駆動する電極を兼ねている［１］乃至［７］のいずれか１項に記載の画像表示装置。
［９］第１検出電極、第２検出電極及び駆動電極は、検出部に接続されており、
検出部は、第１検出電極及び駆動電極によって構成される第１容量部と直列に接続された第１キャパシタ、及び、第２検出電極及び駆動電極によって構成される第２容量部と直列に接続された第２キャパシタを備えている［１］乃至［８］のいずれか１項に記載の画像表示装置。
［１０］検出部は、第１キャパシタと並列に接続された第１オペレーショナル・アンプリファイア、及び、第２キャパシタと並列に接続された第２オペレーショナル・アンプリファイアを更に備えている［９］に記載の画像表示装置。
［１１］第１検出電極、第２検出電極及び駆動電極は、検出部に接続されており、
検出部は、第１検出電極及び駆動電極によって構成される第１容量部、並びに、第２検出電極及び駆動電極によって構成される第２容量部と、直列に接続された可変容量のキャパシタを備えており、
第１タッチパネル部の検出時と第２タッチパネル部の検出時とでキャパシタの容量を変える［１］乃至［８］のいずれか１項に記載の画像表示装置。
［１２」検出部は、キャパシタと並列に接続されたオペレーショナル・アンプリファイアを更に備えている［１１］に記載の画像表示装置。
［１３］第１検出電極、第２検出電極及び駆動電極は、検出部に接続されており、
検出部は、第１検出電極及び駆動電極によって構成される第１容量部、並びに、第２検出電極及び駆動電極によって構成される第２容量部と、直列に接続されたキャパシタを備えており、
検出部は、更に、キャパシタと並列に接続されたオペレーショナル・アンプリファイアを備えており、
第１タッチパネル部の検出時と第２タッチパネル部の検出時とでオペレーショナル・アンプリファイアの基準電圧を変える［１］乃至［８］のいずれか１項に記載の画像表示装置。
【符号の説明】
【００８７】
１０・・・画像表示装置、２１・・・第１基板（画素基板）、２１Ａ・・・第１基板の第１面、２１Ｂ・・・第１基板の第２面、２２・・・ＴＦＴ層、１２３，２２３，３２３，４２３・・・第１電極（画素電極）、２４・・・第１偏光板、１２５，２２５，３２５，４２５・・・第２電極（共通電極）、３１・・・第２基板、３１Ａ・・・第２基板の第１面、３１Ｂ・・・第２基板の第２面、３２・・・カラーフィルタ、３４・・・第２偏光板、４０Ａ，４０Ｂ・・・画像表示層（液晶層）、４１・・・封止部材、５１・・・第１タッチパネル部、５２・・・第２タッチパネル部、１６１，２６１，３６１，４６１，５６１、６６１，７６１，８６１・・・第１検出電極、１６２，２６２，３６２，４６２，５６２，６６２，７６２，８６２・・・第２検出電極、１６３，２６３，４６３，５６３，６６３，８６３・・・駆動電極、６４・・・接着剤層、６５・・・被覆部材、７０・・・タッチパネル制御部、７１，１７１，２７１・・・検出部（検出回路）、ＣＰ11・・・第１容量部、ＣＰ21・・・第２容量部、ＣＰ12，ＣＰ31・・・第１キャパシタ、ＣＰ22，ＣＰ32・・・第２キャパシタ、ＣＰ40・・・キャパシタ、ＯＰ1，ＯＰ2，ＯＰ3，ＯＰ4・・・オペレーショナル・アンプリファイア、ＳＷ1，ＳＷ2，ＳＷ3C，ＳＷ4C・・・リセット用のスイッチ回路、ＳＷ3D，ＳＷ3E，ＳＷ4D，ＳＷ4E・・・切替用のスイッチ回路、ＳＷ3A，ＳＷ3B，ＳＷ4A，ＳＷ4B・・・スイッチ手段、８０・・・面状光源装置、８０Ａ・・・面状光源装置の第１面、８０Ｂ・・・面状光源装置の第２面、９０１・・・ゲート電極、９０２・・・ゲート絶縁層、９０３・・・チャネル形成領域、９０４・・・ソース／ドレイン領域、９０５・・・コンタクトホール、９０６・・・配線、９１１，９１２，９１３・・・層間絶縁層
【図１】
0005726111.tif 000024
【図２】
0005726111.tif 000025
【図３】
0005726111.tif 000026
【図４】
0005726111.tif 000027
【図５】
0005726111.tif 000028
【図６】
0005726111.tif 000029
【図７】
0005726111.tif 000030
【図８】
0005726111.tif 000031
【図９】
0005726111.tif 000032
【図１０】
0005726111.tif 000033
【図１１】
0005726111.tif 000034
【図１２】
0005726111.tif 000035
【図１３】
0005726111.tif 000036
【図１４】
0005726111.tif 000037
【図１５】
0005726111.tif 000038
【図１６】
0005726111.tif 000039
【図１７】
0005726111.tif 000040
【図１８】
0005726111.tif 000041
【図１９】
0005726111.tif 000042
【図２０】
0005726111.tif 000043
【図２１】
0005726111.tif 000044
【図２２】
0005726111.tif 000045
【図２３】
0005726111.tif 000046
【図２４】
0005726111.tif 000047
【図２５】
0005726111.tif 000048
【図２６】
0005726111.tif 000049
【図２７】
0005726111.tif 000050
【図２８】
0005726111.tif 000051
【図２９】
0005726111.tif 000052
【図３１】
0005726111.tif 000053
【図３２】
0005726111.tif 000054
【図３３】
0005726111.tif 000055
【図３０】
0005726111.tif 000056